(57)【要約】【課題】表示されたページに関連するページを表示可能なページ表示制御装置を提供する。【解決手段】最新の履歴情報でなく且つ主ページＩＤである履歴ページＩＤを含む履歴情報を検索し、当該主ページＩＤを含むページ情報を検索し、該ページ情報から表示順序値を読み出し、該表示順序値の最大値を求める（Ｓ１０２）。次に、当該表示対象の主ページのページＩＤを含むページ情報を検索し、該ページ情報から表示順序値を読み出す（Ｓ１０３）。次に、表示順序値が最大値よりも大きいか否かを判定する（Ｓ１０４）。Ｓ１０４でＮＯと判定されたなら、表示対象のページに埋め込むリンク情報によるリンク先のページのページＩＤを求める（Ｓ１０７）。【選択図】図６
2012079163.tif 000002
【特許請求の範囲】
【請求項１】
複数のページを構成する複数の主ページ並びに複数の副ページを有するページデータベースと、
前記各主ページについて主ページのページＩＤ並びに当該主ページに関連するページのページＩＤである関連ページＩＤ並びに当該主ページについての前記複数の主ページの中での正しい選択および表示の順序を示す表示順序値を含むページ情報を有し且つ前記各副ページについて副ページのページＩＤ並びに当該副ページに関連するページのページＩＤである関連ページＩＤを含むページ情報を有するページ情報記憶部と、
選択されたページを表示する処理が複数回なされたときの各回について当該回で表示されたページのページＩＤである履歴ページＩＤを含む履歴情報を有する履歴情報記憶部と、
表示対象の主ページであるページが選択および表示される際に、前記履歴情報記憶部から主ページＩＤである履歴ページＩＤを含む履歴情報を検索し、前記ページ情報記憶部から当該主ページＩＤを含むページ情報を検索し、該ページ情報から表示順序値を読み出し、該表示順序値の最大値を求め、前記ページ情報記憶部から当該表示対象の主ページの主ページＩＤを含むページ情報を検索し、該ページ情報から表示順序値を読み出し、当該表示順序値が当該最大値よりも大きいか否かを判定し、当該表示順序値が当該最大値未満なら、前記ページ情報記憶部から当該表示対象のぺージＩＤである関連ページＩＤを含むページ情報を検索し、該ページ情報からページＩＤを読み出す処理部と、
前記ページデータベースから当該表示対象のページを読み出し、該ページに対し、当該読み出したページＩＤに対応するページへリンクするためのリンク情報を埋め込み、該リンク情報が埋め込まれたページを表示する表示制御部と
を備えることを特徴とするページ表示制御装置。
【請求項２】
前記表示制御部は、前記リンク情報を含むページを生成し、前記読み出したページと当該生成したページを表示することを特徴とする請求項１記載のページ表示制御装置。
【請求項３】
前記履歴情報は、前記複数の主ページの中で当該履歴情報に対応する回に最も近い回で表示された主ページのページＩＤである直近表示主ページＩＤを含み、
前記処理部は、表示対象の副ページのページＩＤである履歴ページＩＤ並びに前記複数の主ページの中で最も新しい回で表示された主ページのページＩＤである直近表示主ページＩＤを含む履歴情報が予め定められた数以上あるか否かを判定し、
前記表示制御部は、当該判定の結果に応じた情報を表示する
ことを特徴とする請求項１または２記載のページ表示制御装置。
【請求項４】
前記履歴情報は、前記複数の主ページの中で当該履歴情報に対応する回に最も近い回で表示された主ページのページＩＤである直近表示主ページＩＤを含み、
前記処理部は、前記複数の主ページの中で最も新しい回で表示された主ページのページＩＤである直近表示主ページＩＤを含む履歴情報が予め定められた数以上あるか否かを判定し、
前記表示制御部は、当該判定の結果に応じた情報を表示する
ことを特徴とする請求項１ないし３のいずれかに記載のページ表示制御装置。
【請求項５】
前記ページ情報は、該当ページに対応する最短表示時間長を含み、
前記履歴情報は、該当ページに対応する表示開始時刻を含み、
前記処理部は、表示対象のページが選択および表示される際に、前記履歴情報記憶部から現在表示されているページの履歴情報を検索し、履歴情報から表示開始時刻を読み出し、前記ページ情報記憶部から現在表示されているページのページ情報を検索し、ページ情報から最短表示時間長を読み出し、当該表示開始時刻から現在までの時間長が最短表示時間長より短いか否かを判定し、
前記表示制御部は、当該表示開始時刻から現在までの時間長が最短表示時間長より短いなら、前記読み出したページに対し、該ページに関連する情報を知るための情報を埋め込み、該情報が埋め込まれたページを表示する、または、当該読み出したページ並びに当該関連する情報を知るための情報を含むページを表示する
ことを特徴とする請求項１ないし４のいずれかに記載のページ表示制御装置。
【請求項６】
ページ表示制御装置の動作方法であって、
前記ページ表示制御装置は、
複数のページを構成する複数の主ページ並びに複数の副ページを有するページデータベースと、
前記各主ページについて主ページのページＩＤ並びに当該主ページに関連するページのページＩＤである関連ページＩＤ並びに当該主ページについての前記複数の主ページの中での正しい選択および表示の順序を示す表示順序値を含むページ情報を有し且つ前記各副ページについて副ページのページＩＤ並びに当該副ページに関連するページのページＩＤである関連ページＩＤを含むページ情報を有するページ情報記憶部と、
選択されたページを表示する処理が複数回なされたときの各回について当該回で表示されたページのページＩＤである履歴ページＩＤを含む履歴情報を有する履歴情報記憶部とを備え、
前記動作方法は、
前記ページ表示制御装置の処理部が、表示対象の主ページであるページが選択および表示される際に、前記履歴情報記憶部から主ページＩＤである履歴ページＩＤを含む履歴情報を検索し、前記ページ情報記憶部から当該主ページＩＤを含むページ情報を検索し、該ページ情報から表示順序値を読み出し、該表示順序値の最大値を求め、前記ページ情報記憶部から当該表示対象の主ページの主ページＩＤを含むページ情報を検索し、該ページ情報から表示順序値を読み出し、当該表示順序値が当該最大値よりも大きいか否かを判定し、当該表示順序値が当該最大値未満なら、前記ページ情報記憶部から当該表示対象のぺージＩＤである関連ページＩＤを含むページ情報を検索し、該ページ情報からページＩＤを読み出す工程と、
前記ページ表示制御装置の表示制御部が、前記ページデータベースから当該表示対象のページを読み出し、該ページに対し、当該読み出したページＩＤに対応するページへリンクするためのリンク情報を埋め込み、該リンク情報が埋め込まれたページを表示する工程と
を備えることを特徴とするページ表示制御装置の動作方法。
【請求項７】
前記ページ情報は、該当ページに対応する最短表示時間長を含み、
前記履歴情報は、該当ページに対応する表示開始時刻を含み、
前記処理部は、表示対象のページが選択および表示される際に、前記履歴情報記憶部から現在表示されているページの履歴情報を検索し、履歴情報から表示開始時刻を読み出し、前記ページ情報記憶部から現在表示されているページのページ情報を検索し、ページ情報から最短表示時間長を読み出し、当該表示開始時刻から現在までの時間長が最短表示時間長より短いか否かを判定し、
前記表示制御部は、当該表示開始時刻から現在までの時間長が最短表示時間長より短いなら、前記読み出したページに対し、該ページに関連する情報を知るための情報を埋め込み、該情報が埋め込まれたページを表示する、または、当該読み出したページ並びに当該関連する情報を知るための情報を含むページを表示する
ことを特徴とする請求項６記載のページ表示制御装置の動作方法。
【請求項８】
請求項１ないし５のいずれかに記載のページ表示制御装置としてとしてコンピュータを機能させるためのコンピュータプログラム。
【発明の詳細な説明】
【技術分野】
【０００１】
本発明は、ページ表示制御装置およびその動作方法に関するものである。
【背景技術】
【０００２】
多機能の機器の普及に伴い、そのセットアップや利用時の機器操作などが複雑化している。機器操作の際にユーザはマニュアルを参照しながら作業を行うが、複雑化によりユーザが作業中に困難に陥ることが少なくない。
【０００３】
ユーザが機器のセットアップ時に陥る困難に対して、セットアップに用いる部品とマニュアルを一体のものとして提供する装置がある（特許文献１参照）。これは、設定の手順がある部品に対して、設定手順が記載されているマニュアルの記載部位の近傍の部位に、部品が貼り付けられている装置であり、ユーザのセットアップ時のミスの発見及び設定の終了確認の支援を行うことができる。
【先行技術文献】
【特許文献】
【０００４】
【特許文献１】特開２００９−９２８２９号公報
【発明の概要】
【発明が解決しようとする課題】
【０００５】
モノの組み立てや機器の操作や設定などを行うために、ユーザ自身が電子マニュアルを見ながらの作業を行うことがある。しかし、たとえば、電子マニュアルに記載されている内容を理解できなかったときに内容に関するより詳しい情報を電子マニュアル内で探そうとした場合、ユーザは多くの情報からなる電子マニュアルの中で自分が見たいと思うページ、必要とする情報を見つけるのに多くの時間を要したり、見つけ出すことができなかったりすることがある。
【０００６】
本発明は、上記の課題に鑑みてなされたものであり、その目的とするところは、表示されたページに関連するページを表示可能なページ表示制御装置を提供することにある。
【課題を解決するための手段】
【０００７】
上記の課題を解決するために、本発明に係るページ表示制御装置は、複数のページを構成する複数の主ページ並びに複数の副ページを有するページデータベースと、前記各主ページについて主ページのページＩＤ並びに当該主ページに関連するページのページＩＤである関連ページＩＤ並びに当該主ページについての前記複数の主ページの中での正しい選択および表示の順序を示す表示順序値を含むページ情報を有し且つ前記各副ページについて副ページのページＩＤ並びに当該副ページに関連するページのページＩＤである関連ページＩＤを含むページ情報を有するページ情報記憶部と、選択されたページを表示する処理が複数回なされたときの各回について当該回で表示されたページのページＩＤである履歴ページＩＤを含む履歴情報を有する履歴情報記憶部と、表示対象の主ページであるページが選択および表示される際に、前記履歴情報記憶部から主ページＩＤである履歴ページＩＤを含む履歴情報を検索し、前記ページ情報記憶部から当該主ページＩＤを含むページ情報を検索し、該ページ情報から表示順序値を読み出し、該表示順序値の最大値を求め、前記ページ情報記憶部から当該表示対象の主ページの主ページＩＤを含むページ情報を検索し、該ページ情報から表示順序値を読み出し、当該表示順序値が当該最大値よりも大きいか否かを判定し、当該表示順序値が当該最大値未満なら、前記ページ情報記憶部から当該表示対象のぺージＩＤである関連ページＩＤを含むページ情報を検索し、該ページ情報からページＩＤを読み出す処理部と、前記ページデータベースから当該表示対象のページを読み出し、該ページに対し、当該読み出したページＩＤに対応するページへリンクするためのリンク情報を埋め込み、該リンク情報が埋め込まれたページを表示する表示制御部とを備えることを特徴とする。
【０００８】
本発明に係るページ表示制御装置の動作方法は、ページ表示制御装置の動作方法であって、前記ページ表示制御装置は、複数のページを構成する複数の主ページ並びに複数の副ページを有するページデータベースと、前記各主ページについて主ページのページＩＤ並びに当該主ページに関連するページのページＩＤである関連ページＩＤ並びに当該主ページについての前記複数の主ページの中での正しい選択および表示の順序を示す表示順序値を含むページ情報を有し且つ前記各副ページについて副ページのページＩＤ並びに当該副ページに関連するページのページＩＤである関連ページＩＤを含むページ情報を有するページ情報記憶部と、選択されたページを表示する処理が複数回なされたときの各回について当該回で表示されたページのページＩＤである履歴ページＩＤを含む履歴情報を有する履歴情報記憶部とを備え、前記動作方法は、前記ページ表示制御装置の処理部が、表示対象の主ページであるページが選択および表示される際に、前記履歴情報記憶部から主ページＩＤである履歴ページＩＤを含む履歴情報を検索し、前記ページ情報記憶部から当該主ページＩＤを含むページ情報を検索し、該ページ情報から表示順序値を読み出し、該表示順序値の最大値を求め、前記ページ情報記憶部から当該表示対象の主ページの主ページＩＤを含むページ情報を検索し、該ページ情報から表示順序値を読み出し、当該表示順序値が当該最大値よりも大きいか否かを判定し、当該表示順序値が当該最大値未満なら、前記ページ情報記憶部から当該表示対象のぺージＩＤである関連ページＩＤを含むページ情報を検索し、該ページ情報からページＩＤを読み出す工程と、前記ページ表示制御装置の表示制御部が、前記ページデータベースから当該表示対象のページを読み出し、該ページに対し、当該読み出したページＩＤに対応するページへリンクするためのリンク情報を埋め込み、該リンク情報が埋め込まれたページを表示する工程とを備えることを特徴とする。
【発明の効果】
【０００９】
本発明によれば、ページが逆行して表示された場合に関連するページを表示することができる。
【図面の簡単な説明】
【００１０】
【図１】第１の実施の形態に係るページ表示制御装置の概略構成を示すブロック図である。
【図２】ページデータベース１１の構成を示す図である。
【図３】ページ情報記憶部１２の構成を示す図である。
【図４】表示されるページを切り替える様子を示す図である。
【図５】履歴情報記憶部１３の構成を示す図である。
【図６】ページ表示制御装置１の動作を示すフローチャートである。
【図７】処理部１４の動作を示すフローチャートである。
【図８】ステップＳ１０５の指示を受けた表示制御部１５により表示された内容を示す図である。
【図９】ステップＳ１０９の指示を受けた表示制御部１５により表示された内容を示す図である。
【図１０】ステップＳ１１３の指示を受けた表示制御部１５により表示された内容を示す図である。
【図１１】ステップＳ１２３の指示を受けた表示制御部１５により表示された内容を示す図である。
【図１２】第２の実施の形態におけるページ情報記憶部１２の構成を示す図である。
【図１３】第２の実施の形態における履歴情報記憶部１３の構成を示す図である。
【図１４】第２の実施の形態における処理部１４のフローチャートである。
【図１５】ステップＳ５３の指示を受けた表示制御部１５により表示された内容を示す図である。
【発明を実施するための形態】
【００１１】
以下、本発明の実施の形態について図面を参照して説明する。
【００１２】
[第１の実施の形態]
図１は、第１の実施の形態に係るページ表示制御装置の概略構成を示すブロック図である。
【００１３】
ページ表示制御装置１は、例えば、ネットワークに接続されたパーソナルコンピュータに構成され、マウス、キーボードなどの入力装置２、ディスプレイなどと称される表示装置３に接続されている。表示装置３は、コンピュータ用の表示装置、テレビジョン用の表示装置などである。
【００１４】
ページ表示制御装置１は、例えば電子マニュアルを構成する複数のページを有するページデータベース１１と、各ページに関するページ情報を有するページ情報記憶部１２と、ページが表示された各回に関する履歴情報を有する履歴情報記憶部１３と、ページが表示される際に処理を行う処理部１４と、ページを表示装置３に表示させる表示制御部１５とを備える。
【００１５】
図２は、ページデータベース１１の構成を示す図である。
ページデータベース１１は、例えば、一部には動きがあっても全体としては静止しているウェブページ（実際にはＨＴＭＬファイルと画像、音声、動画などの関連ファイル）を記憶している。
【００１６】
ページデータベース１１は、複数のページを構成する複数の主ページＰ１、Ｐ２、Ｐ３、…並びに複数の副ページｐ１、ｐ２、ｐ３、…を有する。本実施の形態では、まず主ページＰ１が選択および表示され、次に主ページＰ２が選択および表示され、次に主ページＰ３が選択および表示されるというように参照符号の数字順の順序が正しい順序であると決められている。
【００１７】
各副ページｐ１、ｐ２、ｐ３、…は、対応する１以上の主ページ内の情報に関する情報（用語の説明やFAQ（よくある質問と回答））を有し、当該主ページに関連づけられている。
【００１８】
図３は、表示されるページを切り替える様子を示す図である。
図３（ａ）に示すように、表示された主ページＰ１に埋め込まれたリンク情報により表示されたボタンＢをクリックすると主ページＰ１に代えて主ページＰ２が表示されるいうように、各主ページは表示される。
【００１９】
また、図３（ｂ）に示すように、表示されたページに埋め込まれたリンク情報により指定された箇所Ｔをクリックすると当該ページに代えてリンク情報により指定されたリンク先のページが表示される。
【００２０】
図４は、ページ情報記憶部１２の構成を示す図である。
ページ情報記憶部１２は、各ページに関するページ情報を有する。各ページ情報は、該当のページを示すページ識別情報（以下、ページＩＤ）、当該ページが主ページであることを示す属性「主」または当該ページが副ページであることを示す属性「副」を含む。
【００２１】
特に主ページのページ情報は、該当のページの主ページＰ１、Ｐ２、Ｐ３、…の中での正しい順序を示す表示順序値を含む。
【００２２】
特に副ページのページ情報は、該当の副ページに関連づけられた主ページのページＩＤ（以下、関連ページＩＤという）、当該副ページの主題（トピック）の重要性が比較的大きいことを示すトピックレベル「大」または当該副ページの主題の重要性が比較的小さいことを示すトピックレベル「小」、当該副ページの内容に関連する項目を示すタグを含む。
【００２３】
副ページに関連づけられた主ページに記載された手続きを完了できずかつその場合には当該副ページを参照すべきであるなら、当該副ページのページ情報にはトピックレベル「大」が含まれる。
【００２４】
副ページに関連づけられた主ページ内の用語の説明が当該副ページにあるなら、当該副ページのページ情報にはトピックレベル「小」が含まれる。
【００２５】
図５は、履歴情報記憶部１３の構成を示す図である。
履歴情報記憶部１３は、ページを表示させる処理が複数回なされたときの各回について履歴情報を記憶する。各履歴情報は、該当の履歴情報を示す履歴番号と、該当の回で表示されたページのページＩＤである履歴ページＩＤを含む。各履歴情報は、主ページＰ１、Ｐ２、Ｐ３、…の中で該当の回に最も近い回で表示された主ページのページＩＤである直近表示主ページＩＤを含む。
【００２６】
（ページ表示制御装置１の動作）
次に、ページ表示制御装置１の動作を説明する。
【００２７】
図６は、ページ表示制御装置１の動作を示すフローチャートである。
ページ表示制御装置１は、入力装置２からの入力信号を待機し（Ｓ１）、入力信号がないなら、Ｓ１に戻る。
【００２８】
ページ表示制御装置１は、ユーザが所望のページを表示させるべく入力装置２を操作し、これにより、入力装置２から入力信号が送信されたなら、入力信号の内容に基づき、当該表示対象のページの表示回に関する履歴情報を生成し、これを最新の履歴情報として、履歴情報記憶部１３に記憶させる（Ｓ３）。
【００２９】
ページ表示制御装置１は、ここでは、入力信号の内容に基づき、当該ページのページＩＤを検出し、当該ページＩＤを履歴ページＩＤとして当該履歴情報に含ませる。
【００３０】
また、ページ表示制御装置１は、主ページを表示させる回の中で最も新しい回に対応する主ページのページＩＤである履歴ページＩＤを含む履歴情報を履歴情報記憶部１３から検索し、当該履歴情報から履歴ページＩＤを読み出し、該履歴ページＩＤを直近表示ページＩＤとして、最新の履歴情報に含ませる。
【００３１】
次に、処理部１４は、当該表示対象のページが表示される際に必要な処理を行う（Ｓ５）。
【００３２】
図７は、処理部１４の動作を示すフローチャートである。以下の動作は、処理部１４が予め記憶された処理ルールを記載したコンピュータプログラムを実行することによりなされる。
【００３３】
処理部１４は、まず、当該表示対象のページが主ページか否かを判定する（Ｓ１０１）。ここでは、処理部１４は、最新の履歴情報から履歴ページＩＤを読み出し、該履歴ページＩＤであるページＩＤを含むページ情報をページ情報記憶部１２から検索し、該ページ情報に属性「主」が含まれるか否かを判定する（Ｓ１０１）。
【００３４】
処理部１４は、表示対象のページが主ページであるつまりページ情報に属性「主」が含まれるなら（Ｓ１０１：ＹＥＳ）、履歴情報記憶部１３から最新の履歴情報でなく且つ主ページＩＤである履歴ページＩＤを含む履歴情報を検索し、ページ情報記憶部１２から当該主ページＩＤを含むページ情報を検索し、該ページ情報から表示順序値を読み出し、該表示順序値の最大値を求める（Ｓ１０２）。
【００３５】
処理部１４は、次に、ページ情報記憶部１２から当該表示対象の主ページのページＩＤを含むページ情報を検索し、該ページ情報から表示順序値を読み出す（Ｓ１０３）。
【００３６】
処理部１４は、次に、当該表示順序値が当該最大値よりも大きいか否かを判定する（Ｓ１０４）。
【００３７】
ページが正しい順序で表示されているときは、表示順序値は最大値よりも大きい。よって、ステップＳ１０４は、ページが正しい順序で表示されているか否かを判定していることになる。
【００３８】
処理部１４は、ステップＳ１０４でＹＥＳと判定されたなら、つまり、ページが正しい順序で表示されることとなるなら、表示制御部１５に対し、表示対象のページのページＩＤつまり最新の履歴情報から読み出した履歴ページＩＤであるページＩＤを通知し、当該ページＩＤのページを表示するように指示し（Ｓ１０５）、処理を終える。
【００３９】
図６に戻り、表示制御部１５は、通知されたページＩＤに該当するページをページデータベース１１から読み出し（Ｓ７）、表示装置３に表示させ（Ｓ９）、処理を終える。
【００４０】
図８は、ステップＳ１０５の指示を受けた表示制御部１５により表示された内容を示す図である。
表示装置３には、表示対象のページ以外には何も表示されない。
【００４１】
図７に戻り、処理部１４は、ステップＳ１０４でＮＯと判定されたなら、つまり、ページが正しい順序で表示されることにならないなら、表示対象のページに埋め込むリンク情報によるリンク先のページのページＩＤを求める（Ｓ１０７）。
【００４２】
処理部１４は、ステップＳ１０７では、まず、最新の履歴情報から読み出した履歴ページＩＤである関連ページＩＤとトピックレベル「大」を含むページ情報つまり副ページのページ情報をページ情報記憶部１２から検索する。次に、処理部１４は、該ページ情報からページＩＤつまりリンク先のページのページＩＤを読み出す。
【００４３】
処理部１４は、次に、表示制御部１５に対し、表示対象のページのページＩＤ、リンク先のページのページＩＤを通知し、表示対象のページにリンク先のページのリンク情報を埋め込み表示するように指示し（Ｓ１０９）、処理を終える。
【００４４】
図６に戻り、表示制御部１５は、表示対象のページのページＩＤに該当するページをページデータベース１１から読み出し（Ｓ７）、リンク先のページのページＩＤに該当するページへリンクするためのリンク情報を埋め込み、表示装置３に表示させ（Ｓ９）、処理を終える。
【００４５】
図９は、ステップＳ１０９の指示を受けた表示制御部１５により表示された内容を示す図である。
【００４６】
表示装置３には、表示対象のページ並びにリンク先ページの表題Ｈ１、Ｈ２などが表示される。ユーザがリンク先のページを表示させるべく入力装置２を操作し、表題がクリックされると、入力信号が送信される。これにより、図５において、ステップＳ１でＹＥＳと判定され、制御がステップＳ３に移る。これにより、リンク先のページが表示される。
【００４７】
図７に戻り、処理部１４は、ステップＳ１０１でＮＯと判定されたなら、最新の履歴情報から履歴ページＩＤと直近表示主ページＩＤを読み出し、該履歴ページＩＤと直近表示主ページＩＤを含む履歴情報が履歴情報記憶部１３に３つ以上あるか否かを判定する（Ｓ１１１）。つまり、処理部１４は、履歴ページＩＤのページつまり表示対象のページが表示された場合においては、直近表示主ページＩＤの主ページから他の主ページを経ずに表示対象のページが３回以上表示されたことになるか否かを判定する（Ｓ１１１）。
【００４８】
処理部１４は、ステップＳ１１１でＹＥＳと判定されたなら、表示制御部１５に対し、表示対象のページのページＩＤを通知し、表示対象のページにサポートのための連絡先の情報（電話番号や電子メールアドレス）を埋め込んで表示するように指示し（Ｓ１１３）、処理を終える。
【００４９】
図６に戻り、表示制御部１５は、表示対象のページのページＩＤに該当するページをページデータベース１１から読み出し（Ｓ７）、予めページ表示制御装置１に記憶された連絡先の情報を埋め込み、表示装置３に表示させ（Ｓ９）、処理を終える。
【００５０】
図１０は、ステップＳ１１３の指示を受けた表示制御部１５により表示された内容を示す図である。
【００５１】
表示装置３には、表示対象のページ並びに連絡先の情報ＳＳが表示される。ユーザは、例えば、連絡先に連絡し、表示対象のページに関して質問を行う。
【００５２】
図７に戻り、処理部１４は、ステップＳ１１１でＮＯと判定されたなら、最新の１つ前の回の履歴情報と２つ前の履歴情報の中に、最新の履歴情報から読み出した直近表示主ページＩＤを含むという条件を充足する履歴情報があるか否かを判定する（Ｓ１１５）。
【００５３】
処理部１４は、ステップＳ１１５でＮＯと判定されたなら、ステップＳ１０７へ制御を移す。
【００５４】
処理部１４は、ステップＳ１１５でＹＥＳと判定されたなら、最新の履歴情報から読み出した直近表示主ページＩＤである関連ページＩＤを含むページ情報つまり副ページのページ情報をページ情報記憶部１２から検索する（Ｓ１１７）。
【００５５】
処理部１４は、次に、ステップＳ１１５の条件を充足した履歴情報から直近表示主ページＩＤを読み出し、該直近表示主ページＩＤである関連ページＩＤを含むページ情報つまり副ページのページ情報をページ情報記憶部１２から検索する（Ｓ１１９）。
【００５６】
処理部１４は、次に、ステップＳ１１９で検索したページ情報の少なくとも１つが、ステップＳ１１７で検索したページ情報内のタグと共通のタグを含むか否かを判定する（Ｓ１２１）。
【００５７】
処理部１４は、ステップＳ１２１でＹＥＳと判定されたなら、表示制御部１５に対し、表示対象のページのページＩＤ、当該共通のタグを通知し、表示対象のページに当該タグの内容を有するリンク先のページのリンク情報を埋め込み表示するように指示し（Ｓ１２３）、処理を終える。
【００５８】
図６に戻り、表示制御部１５は、表示対象のページのページＩＤに該当するページをページデータベース１１から読み出し（Ｓ７）、通知されたタグの内容を有するページをページデータベース１１から検索し、読み出したページに、検索したページへリンクするためのリンク情報を埋め込み、表示装置３に表示させる（Ｓ９）。リンク情報にはリンク先ページを示す表題などが含まれる。
【００５９】
図１１は、ステップＳ１２３の指示を受けた表示制御部１５により表示された内容を示す図である。
【００６０】
表示装置３には、表示対象のページ並びにリンク先ページの表題Ｈ１１、Ｈ１２など表示される。ユーザがリンク先のページを表示させるべく入力装置２を操作し、表題がクリックされると、入力信号が送信される。これにより、図５において、ステップＳ１でＹＥＳと判定され、制御がステップＳ３に移る。これにより、リンク先のページが表示される。
【００６１】
図７に戻り、処理部１４は、ステップＳ１２１でＮＯと判定されたなら、ステップＳ１０７へ制御を移す。
【００６２】
（実施例１）
例えば、図５において、履歴番号「１」の履歴情報までが履歴情報記憶部１３に記憶され、次の入力信号が送信された場合の動作は以下のようになる。
【００６３】
まず、ステップＳ３において、ページ表示制御装置１は、入力信号の内容に基づき、ページＩＤ「１０２」を検出する。また、ページ表示制御装置１は、履歴番号「２」を含む履歴情報を履歴情報記憶部１３に生成する。また、ページＩＤ「１０２」を履歴ページＩＤとして当該履歴情報に含ませる。
【００６４】
ステップＳ３において、ページ表示制御装置１は、主ページを表示させる回の中で最も新しい回に対応する主ページのページＩＤである履歴ページＩＤを含む履歴情報つまり履歴番号「２」の履歴情報を検索し、当該履歴情報から履歴ページＩＤ「１０２」を読み出し、該履歴ページＩＤを直近表示ページＩＤとして、最新の履歴情報つまり履歴番号「２」の履歴情報に含ませる。
【００６５】
次に、処理部１４は、最新の履歴情報つまり履歴番号「２」の履歴情報から履歴ページＩＤ「１０２」を読み出し、該履歴ページＩＤであるページＩＤを含むページ情報（図４の上から２番目のページ情報）を検索し、該ページ情報に属性「主」が含まれると判定する（Ｓ１０１：ＹＥＳ）。
【００６６】
次に、処理部１４は、最新の履歴情報でなく且つ主ページＩＤである履歴ページＩＤを含む履歴情報つまり履歴番号「１」の履歴情報を検索し、当該主ページＩＤを含むページ情報（図４の上から１番目のページ情報）を検索し、該ページ情報から表示順序値「１」を読み出し、該表示順序値の最大値「１」を求める（Ｓ１０２）。
【００６７】
処理部１４は、次に、表示対象の主ページのページＩＤを含むページ情報（図４の上から２番目のページ情報）を検索し、該ページ情報から表示順序値「２」を読み出す（Ｓ１０３）。
【００６８】
処理部１４は、次に、表示順序値「２」が最大値「１」よりも大きいと判定する（Ｓ１０４：ＹＥＳ）。
【００６９】
処理部１４は、次に、表示制御部１５に対し、表示対象のページのページＩＤつまり最新の履歴情報から読み出した履歴ページＩＤであるページＩＤ「１０２」を通知し、当該ページＩＤのページを表示するように指示する（Ｓ１０５）。
【００７０】
次に、表示制御部１５は、ページＩＤ「１０２」に該当する主ページＰ２をページデータベース１１から読み出し（Ｓ７）、表示装置３に表示させる（Ｓ９）。
【００７１】
表示装置３には、表示対象の主ページＰ２以外には何も表示されない。
【００７２】
（実施例２）
例えば、図５において、履歴番号「５」の履歴情報までが履歴情報記憶部１３に記憶され、次の入力信号が送信された場合の動作は以下のようになる。
【００７３】
まず、ステップＳ３において、ページ表示制御装置１は、入力信号の内容に基づき、ページＩＤ「１０１」を検出する。また、ページ表示制御装置１は、履歴番号「６」を含む履歴情報を履歴情報記憶部１３に生成する。また、ページＩＤ「１０１」を履歴ページＩＤとして当該履歴情報に含ませる。
【００７４】
ステップＳ３において、ページ表示制御装置１は、主ページを表示させる回の中で最も新しい回に対応する主ページのページＩＤである履歴ページＩＤを含む履歴情報つまり履歴番号「６」の履歴情報を検索し、当該履歴情報から履歴ページＩＤ「１０１」を読み出し、該履歴ページＩＤを直近表示ページＩＤとして、最新の履歴情報つまり履歴番号「６」の履歴情報に含ませる。
【００７５】
次に、処理部１４は、最新の履歴情報つまり履歴番号「６」の履歴情報から履歴ページＩＤ「１０１」を読み出し、該履歴ページＩＤであるページＩＤを含むページ情報（図４の上から１番目のページ情報）を検索し、該ページ情報に属性「主」が含まれると判定する（Ｓ１０１：ＹＥＳ）。
【００７６】
次に、処理部１４は、最新の履歴情報でなく且つ主ページＩＤである履歴ページＩＤを含む履歴情報つまり履歴番号「１」、「２」、「５」の履歴情報を検索し、当該主ページＩＤを含むページ情報（図４の上から１、２番目のページ情報）を検索し、該ページ情報から表示順序値「１」、「２」を読み出し、該表示順序値の最大値「２」を求める（Ｓ１０２）。
【００７７】
処理部１４は、次に、表示対象の主ページのページＩＤを含むページ情報（図４の上から２番目のページ情報）を検索し、該ページ情報から表示順序値「２」を読み出す（Ｓ１０３）。
処理部１４は、次に、表示順序値「２」が最大値「２」以下であると判定する（Ｓ１０４：ＮＯ）。
【００７８】
次に、処理部１４は、最新の履歴情報から読み出した履歴ページＩＤである関連ページＩＤ「１０１」とトピックレベル「大」を含むページ情報つまり副ページのページ情報（図４の上から４、５、７、９番目のページ情報）を検索する（Ｓ１０７）。
【００７９】
次に、処理部１４は、該ページ情報からページＩＤつまりリンク先のページのページＩＤ「２０１」、「２０２」、「２０４」、「２０６」を読み出す。
【００８０】
処理部１４は、次に、表示制御部１５に対し、表示対象のページのページＩＤ「１０１」、リンク先のページのページＩＤ「２０１」、「２０２」、「２０４」、「２０６」を通知し、表示対象のページにリンク先のページのリンク情報を埋め込んで表示するように指示する（Ｓ１０９）。
【００８１】
次に、表示制御部１５は、ページＩＤ「１０１」に該当する主ページＰ１をページデータベース１１から読み出し（Ｓ７）、リンク先のページのページＩＤ「２０１」、「２０２」、「２０４」、「２０６」に該当するページへリンクするためのリンク情報を埋め込み、表示装置３に表示させる（Ｓ９）。
【００８２】
表示装置３には、表示対象の主ページＰ１並びにリンク先の副ページｐ１、ｐ２、ｐ４、ｐ５の表題などが表示される。ユーザが、例えば副ページｐ１を表示させるべく入力装置２を操作し、副ページｐ１の表題がクリックされると、入力信号が送信され、次の回では、副ページｐ１が表示される。
【００８３】
（実施例３）
例えば、図５において、履歴番号「８」の履歴情報までが履歴情報記憶部１３に記憶され、次の入力信号が送信された場合の動作は以下のようになる。
【００８４】
まず、ステップＳ３において、ページ表示制御装置１は、入力信号の内容に基づき、ページＩＤ「２０１」を検出する。また、ページ表示制御装置１は、履歴番号「９」を含む履歴情報を履歴情報記憶部１３に生成する。また、ページＩＤ「２０１」を履歴ページＩＤとして当該履歴情報に含ませる。
【００８５】
ステップＳ３において、ページ表示制御装置１は、主ページを表示させる回の中で最も新しい回に対応する主ページのページＩＤである履歴ページＩＤを含む履歴情報つまり履歴番号「６」の履歴情報を検索し、当該履歴情報から履歴ページＩＤ「１０１」を読み出し、該履歴ページＩＤを直近表示ページＩＤとして、最新の履歴情報つまり履歴番号「９」の履歴情報に含ませる。
【００８６】
次に、処理部１４は、最新の履歴情報つまり履歴番号「９」の履歴情報から履歴ページＩＤ「２０１」を読み出し、該履歴ページＩＤであるページＩＤを含むページ情報（図４の上から４番目のページ情報）を検索し、該ページ情報に属性「主」が含まれないと判定する（Ｓ１０１：ＮＯ）。
【００８７】
次に、処理部１４は、最新の履歴情報から履歴ページＩＤ「２０１」と直近表示主ページＩＤ「１０１」を読み出し、該履歴ページＩＤ「２０１」と直近表示主ページＩＤ「１０１」を含む履歴情報が履歴情報記憶部１３に３つ以上ないと判定する（Ｓ１１１：ＮＯ）。
【００８８】
次に、処理部１４は、最新の１つ前の回の履歴情報と２つ前の履歴情報の中につまり履歴番号「８」、「７」の履歴情報の中に、最新の履歴情報つまり履歴番号「９」の履歴情報から読み出した直近表示主ページＩＤ「１０１」を含むという条件を充足する履歴情報があると判定する（Ｓ１１５：ＹＥＳ）。
【００８９】
次に、処理部１４は、最新の履歴情報から読み出した直近表示主ページＩＤ「１０１」である関連ページＩＤを含むページ情報つまり副ページのページ情報（図４の上から４、５、６番目のページ情報）を検索する（Ｓ１１７）。
【００９０】
処理部１４は、次に、ステップＳ１１５の条件を充足した履歴番号「８」、「７」の履歴情報から直近表示主ページＩＤ「１０１」、「１０１」を読み出し、該直近表示主ページＩＤである関連ページＩＤを含むページ情報つまり副ページのページ情報（図４の上から４、５、６番目のページ情報）を検索する（Ｓ１１９）。
【００９１】
処理部１４は、次に、ステップＳ１１９で検索したページ情報の少なくとも１つが、ステップＳ１１７で検索したページ情報内のタグと共通のタグ「ＬＡＮケーブル」を含むと判定する（Ｓ１２１：ＹＥＳ）。
【００９２】
処理部１４は、次に、表示制御部１５に対し、表示対象の副ページｐ１のページＩＤ「２０１」、当該共通のタグ「ＬＡＮケーブル」を通知し、副ページｐ１に当該タグの内容を有するリンク先のページのリンク情報を埋め込んで表示するように指示する（Ｓ１２３）。
【００９３】
表示制御部１５は、ページＩＤ「２０１」に該当する副ページｐ１をページデータベース１１から読み出し（Ｓ７）、通知されたタグの内容を有するページ（例えば、副ページｐ２、ｐ３）をページデータベース１１から検索し、読み出した副ページｐ１に、検索したページへリンクするためのリンク情報を埋め込み、表示装置３に表示させる（Ｓ９）。      
【００９４】
表示装置３には、表示対象の副ページｐ１並びにリンク先の副ページｐ２、ｐ３の表題などが表示される。ユーザが、例えば副ページｐ２を表示させるべく入力装置２を操作し、副ページｐ２の表題がクリックされると、入力信号が送信され、次の回では、副ページｐ２が表示される。
【００９５】
なお、第１の実施の形態では、リンク先のページへリンクするためのリンク情報を表示対象のページに埋め込み表示させたが、複数のウィンドウにページや所望の情報を表示できる場合においては、リンク情報を含むページを生成し、表示対象のページを表示するウィンドウとは別のウィンドウに当該生成したページを表示させ、当該ページ内の表題のクリックによりリンク先のページを表示させてもよい。
【００９６】
また、ウィンドウ内にウィンドウを構成できる場合においては、リンク情報を含むページを生成し、表示対象のページのウィンドウ内のウィンドウに当該生成したページを表示させ、当該ページ内の表題のクリックによりリンク先のページを表示させてもよい。
【００９７】
なお、ページ表示制御装置はパーソナルコンピュータに構成されるとしたが、専用装置に構成してもよい。また、ページ表示制御装置はネットワークに接続されたとしたが、ネットワークに接続されないローカルな装置でもよい。
【００９８】
また、ページデータベースのページは電子マニュアルを構成するとしたが、電子マニュアルでなく、教科書や教則、小説などでもよい。この場合、主ページに対して、解説や補足資料が副ページとなる。
【００９９】
また、ページは、ウェブページのような全体としては静止しているものとしたが、全体として動いているもの、例えば、映像のみを表示するものであってもよい。
【０１００】
また、所望のページを表示させていくことは、ＨＴＭＬファイルでなく、ＦＬＡＳＨやＰＤＦを用いても行えるので、そのようにしてもよい。
【０１０１】
また、リンク先ページの表示は、その表題などのクリックにより行ったが、所定の時間長が経過したこと、入力装置２（マウス、キーボードなど）における所定の操作があったことなどにより行ってもよい。
【０１０２】
また、入力装置２は、タッチパネルや専用の装置でもよい。
【０１０３】
また、履歴情報は、履歴ページＩＤ、直近表示主ページＩＤ、表示開始時刻を含むとしたが、例えば、更に、リンク元となったページのページＩＤや閲覧時間、該当ページが閲覧された際のユーザの操作内容などを含ませてもよい。
【０１０４】
また、ページ情報は、ページＩＤ、属性、表示順序値、関連ページＩＤ、トピックレベル、タグ、最短表示時間長を含むとしたが、例えば、更に該当ページにリンクするページのページＩＤ、該当ページ内のテキスト情報、該当ページのデータサイズといったメタ情報などを含めてもよい。
【０１０５】
また、副ページに関連づけられた主ページに記載された手続きを完了できずかつその場合には当該副ページを参照すべきであるなら、当該副ページのページ情報にはトピックレベル「大」が含まれ、副ページに関連づけられた主ページ内の用語の説明が当該副ページにあるなら、当該副ページのページ情報にはトピックレベル「小」が含まれるとしたが、トピックレベルの大きさの定義はこれに限らない。
【０１０６】
また、処理部１４により実行されるコンピュータプログラムにより、図７の動作が実行されるが、利用に際し、コンピュータプログラムに追加、削除、一部または全体の入れ替えを行い、別の動作を実行してもよい。
【０１０７】
また、表示対象のページが表示されるのは、該ページのみが表示される場合（図８）、表示対象のページ並びにトピックレベルにより決定したリンク先ページの表題などが表示される場合（図９）、表示対象のページ並びに連絡先の情報が表示される場合（図１０）、表示対象のページ並びにタグにより決定したリンク先ページの表題などが表示される場合（図１１）、の４つであるが、表示対象のページが表示される場合の数をより少なくまたは多くしてもよい。
【０１０８】
また、リンク先ページの表題を表示させる場合においては、表題に代えて、リンク先ページのサムネイル、タグ、ページ番号などを表示させてもよい。
【０１０９】
また、リンク先ページは、トピックレベル、タグにより決定したものでなくてもよい。
また、連絡先の情報は電話番号や電子メールアドレスでなくてもよい。
【０１１０】
また、リンク先ページの表題などや連絡先の情報といった情報は、色を変えて表示したり、枠で囲って表示したり、すなわち強調して表示してもよい。
【０１１１】
また、Ｓ１１１では、条件を満たす履歴情報が履歴情報記憶部１３に３つ以上あるか否かを判定したが、この場合に３とした数を別な数に変更してもよい。
【０１１２】
また、Ｓ１１５では、２つの履歴情報（最新の１つ前と２つ前の履歴情報）の中に、最新の履歴情報から読み出した直近表示主ページＩＤを含むという条件を充足する履歴情報があるか否かを判定したが、この場合に２とした履歴情報別な数に変更してもよい。また、かかる数を、ページ情報記憶部１２内の総ページ数や閲覧されたページ数に所定の割合を乗じて計算してもよい。
【０１１３】
したがって、第１の実施の形態によれば、履歴情報記憶部から主ページＩＤである履歴ページＩＤを含む履歴情報を検索し、ページ情報記憶部から当該主ページＩＤを含むページ情報を検索し、該ページ情報から表示順序値を読み出し、該表示順序値の最大値を求め（Ｓ１０２）、ページ情報記憶部から当該表示対象の主ページの主ページＩＤを含むページ情報を検索し、該ページ情報から表示順序値を読み出し（Ｓ１０３）、当該表示順序値が当該最大値よりも大きいか否かを判定し（Ｓ１０４）、当該表示順序値が当該最大値未満なら（Ｓ１０４：ＮＯ）、ページ情報記憶部から表示対象のぺージＩＤである関連ページＩＤを含むページ情報を検索し、該ページ情報からページＩＤを読み出し（Ｓ１０７）、ページデータベースから当該表示対象のページを読み出し（Ｓ７）、該ページに対し、当該読み出したページＩＤに対応するページへリンクするためのリンク情報を埋め込み、該リンク情報が埋め込まれたページを表示する（Ｓ９）、または、当該読み出したページ並びに当該リンク情報を含むページを表示することで、ページが逆行して表示された場合、関連するページが表示され、その結果、ページを逆行させるようなつまり迷いながらページを表示させているようなユーザに対して表示対象のページよりも多い情報を提供することができる。よって、ユーザの迷いを払拭させる一助となることができる。
【０１１４】
[第２の実施の形態]
次に、第２の実施の形態に係るページ表示制御装置について説明する。
第２の実施の形態に係るページ表示制御装置は、第１の実施の形態に係るページ表示制御装置１と類似の構成要素を有するので、図示省略し、ページ表示制御装置１との差異を中心に説明する。説明において、名称と符号は第１の実施の形態のものを便宜的に用いる。
【０１１５】
図１２は、第２の実施の形態におけるページ情報記憶部１２の構成を示す図である。
各ページ情報は、該当ページに対応する最短表示時間長（例えば、秒数）を含み、かかる点以外は第１の実施の形態と同様である。最短表示時間長は、該当ページの理解に必要な時間の長さである。
【０１１６】
図１３は、第２の実施の形態における履歴情報記憶部１３の構成を示す図である。
各履歴情報は、該当ページに対応する表示開始時刻を含み、かかる点以外は第１の実施の形態と同様である。表示開始時刻は、該当ページの表示に際して、入力装置２から入力信号が送信された時刻で代用される。
【０１１７】
次に、図６を援用し、ページ表示制御装置の動作を説明する。
ページ表示制御装置は、入力装置２から入力信号が送信されたなら（Ｓ１：ＹＥＳ）、最新の履歴情報を履歴情報記憶部１３に記憶させる（Ｓ３）。
【０１１８】
ページ表示制御装置は、ここでは、第１の実施の形態と同様に、履歴ページＩＤと直近表示ページＩＤを最新の履歴情報に含ませる。また、ページ表示制御装置は、第２の実施の形態では、入力信号が送信された時刻を表示開始時刻として最回の履歴情報に含ませる。
【０１１９】
次に、処理部１４は、表示対象のページが表示される際に必要な処理を行う（Ｓ５）。
【０１２０】
図１４は、第２の実施の形態における処理部１４のフローチャートである。
処理部１４は、まず、最新の１つ前の回で表示されたページの表示時間長が該当の最短表示時間長より短いか否かを判定する（Ｓ５１）。
【０１２１】
処理部１４は、ステップＳ５１では、まず、最新の履歴情報と１つ前の回の履歴情報とを履歴情報記憶部１３から検索し、各履歴情報から表示開始時刻を読み出す。処理部１４は、次に、最新の履歴情報から履歴ページＩＤを読み出し、該履歴ページＩＤであるページＩＤを含むページ情報をページ情報記憶部１２から検索し、該ページ情報から最短表示時間長を読み出す。処理部１４は、次に、最新の履歴情報の表示開始時刻から１つ前の回の履歴情報の表示開始時刻を減算し、減算後の値つまり１つ前の回で表示されたページの表示時間長が当該最短表示時間長より短いか否かを判定する。
【０１２２】
処理部１４は、ステップＳ５１でＹＥＳと判定されたなら、表示制御部１５に対し、表示対象のページのページＩＤを通知し、表示対象のページに検索窓を埋め込んで表示するように指示し（Ｓ５３）、処理を終える。
【０１２３】
処理部１４は、ステップＳ５１でＮＯと判定されたなら、ステップＳ１０１へ制御を移す。
【０１２４】
図６に戻り、表示制御部１５は、表示対象のページのページＩＤに該当するページをページデータベース１１から読み出し（Ｓ７）、検索窓を表示させるための情報を埋め込み、表示装置３に表示させ（Ｓ９）、処理を終える。
【０１２５】
図１５は、ステップＳ５３の指示を受けた表示制御部１５により表示された内容を示す図である。
【０１２６】
表示装置３には、表示対象のページ並びに検索窓Ｗが表示される。ユーザが入力装置２を操作し、例えば、表示対象のページに記載された不明確な単語などがキーワードとして検索窓に入力されると、ページ表示制御装置は、キーワードを含むページをページ情報記憶部１２から検索し、表示装置３に表示させる。
【０１２７】
なお、第２の実施の形態においては、検索窓を表示対象のページに埋め込み表示させたが、複数のウィンドウにページや所望の情報を表示できる場合においては、検索窓を含むページを生成し、表示対象のページを表示するウィンドウとは別のウィンドウに当該生成したページを表示させてもよい。
【０１２８】
また、ウィンドウ内にウィンドウを構成できる場合においては、検索窓を含むページを生成し、表示対象のページのウィンドウ内のウィンドウに当該生成したページを表示させてもよい。
【０１２９】
また、履歴情報が表示開始時刻を含むとしたが、表示開始時刻から表示終了時刻までを計測し、表示終了時刻から表示開始時刻を減算し、こうして、表示時間長を計算し、これを履歴情報に記憶させてもよい。
【０１３０】
また、第２の実施の形態では、ページ情報が最短表示時間長（例えば、秒数）を含むとしたが、最短表示時間長は秒数でなくてもよい。例えば、主ページＰ１の表示時間長の１．１倍などを最短表示時間長としてもよく、つまり、履歴情報の表示時間長に基づく相対値であってもよい。
【０１３１】
また、第２の実施の形態では、検索窓に入力されたキーワードを含むページをページ情報記憶部１２から検索し表示させたが、検索対象はページ情報記憶部１２には限らない。また、検索窓でなく、トピックレベル「大」に対応する全ての副ページへリンクするための各副ページの表題を表示させ、いずれかの表題がクリックされたら、該当の副ページを表示させてもよい。または、表示対象となる可能性の高いページへリンクするための当該ページの表題を表示させ、表題がクリックされたら、該当のページを表示させてもよい。
【０１３２】
したがって、第２の実施の形態によれば、履歴情報記憶部から現在表示されているページの履歴情報を検索し、履歴情報から表示開始時刻を読み出し、ページ情報記憶部から現在表示されているページのページ情報を検索し、ページ情報から最短表示時間長を読み出し、当該表示開始時刻から現在までの時間長が最短表示時間長より短いか否かを判定し（Ｓ５１、表示開始時刻から現在までの時間長が最短表示時間長より短いなら、読み出したページに対し、該ページに関連する情報を知るための情報を埋め込み、該情報が埋め込まれたページを表示する（Ｓ９）、または、当該読み出したページ並びに当該関連する情報を知るための情報を含むページを表示することで、ページの表示時間が短い場合、関連するページが表示され、その結果、ページの表示時間が短くなるようなつまり迷いながらページを表示させているようなユーザに対して表示対象のページよりも多い情報を提供することができる。よって、ユーザの迷いを払拭させる一助となることができる。
【０１３３】
なお、各実施の形態に係るページ表示制御装置としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【０１３４】
１  ページ表示制御装置
２  入力装置
３  表示装置
１１  ページデータベース
１２  ページ情報記憶部
１３  履歴情報記憶部
１４  処理部
１５  表示制御部
Ｐ１、Ｐ２、Ｐ３…  主ページ
ｐ１、ｐ２、ｐ３…  副ページ
【図１】
2012079163.tif 000003
【図２】
2012079163.tif 000004
【図３】
2012079163.tif 000005
【図４】
2012079163.tif 000006
【図５】
2012079163.tif 000007
【図６】
2012079163.tif 000008
【図７】
2012079163.tif 000009
【図８】
2012079163.tif 000010
【図９】
2012079163.tif 000011
【図１０】
2012079163.tif 000012
【図１１】
2012079163.tif 000013
【図１２】
2012079163.tif 000014
【図１３】
2012079163.tif 000015
【図１４】
2012079163.tif 000016
【図１５】
2012079163.tif 000017